(57)【要約】エレベータドアをエレベータドアハンガーに接続する高さ調整アセンブリは、ドアブラケット（６０）と、複数のドアクリップ受け部（８０、８５）と、それに対応する数のドアクリップ（７０）とを備える。各ドアクリップは、上部フィン（７１）および下部フィン（７１’）、ならびに側部フィンおよびこれらフィンの間の中央に配置された斜めスロット（７５）を備える。各斜めスロットは、受け部の穴と位置合わせされ、上部および下部フィンは、受け部の対応するスロットと摺動可能に係合する。ドアクリップの斜めスロットおよびドアブラケットの穴に挿入される締結具（９０）は、クリップおよびブラケットをドアハンガーに摩擦保持様式で保持する。ドアの高さは、ドアクリップをスロット内で横移動させることにより調整することができる。
2006515258.tif 000002
【特許請求の範囲】
【請求項１】
エレベータドアをエレベータドアハンガーに接続するための高さ調整アセンブリであって、
平坦部分およびエレベータドアの頂部に取り付けるための領域を有するブラケットと、
前記平坦部分にある複数のドアクリップ受け部であって、それぞれが、互いに平行な向きの上部スロットおよび下部スロット、ならびに前記上部スロットと前記下部スロットとの間に穴（aperture）を備える、複数のドアクリップ受け部と、
該ドアクリップ受け部それぞれに個別に配置される複数のドアクリップであって、それぞれが、前記ドアクリップ受け部の前記上部スロットと摺動可能に係合する上部フィン、および前記ドアクリップ受け部の前記下部スロットと摺動可能に係合する下部フィン、ならびに該フィンの間に、フィンに対して斜めの向きで配置されるスロットを有する本体を備える、複数のドアクリップと、
前記斜めスロットおよび前記穴を通り、かつ前記ドアクリップおよび前記ブラケットを前記ドアハンガーに摩擦締結する締結具と
を備え、前記エレベータドアの高さは、前記スロット内で前記ドアクリップを横移動させることによって、前記締結具を前記ドアクリップの前記斜めスロットに沿って移動させることにより、前記ドアハンガーに対して調整することができる、エレベータドアをエレベータドアハンガーに接続するための高さ調整アセンブリ。
【請求項２】
前記ドアクリップそれぞれに、叩き面を提供する１つまたは複数の側方叩き領域をさらに備え、
前記ドアクリップはそれぞれ、前記叩き面を叩いて前記斜めスロットを前記締結具に対して移動させることにより、前記上部スロットおよび前記下部スロット内で横移動させられ、それにより前記ドアを上下させることができる、請求項１に記載のエレベータドアをエレベータドアハンガーに接続するための高さ調整アセンブリ。
【請求項３】
２つのドアクリップ受け部と２つのドアクリップとをさらに備える、請求項２に記載のエレベータドアをエレベータドアハンガーに接続するための高さ調整アセンブリ。
【請求項４】
前記締結具はナットおよびボルトである、請求項２に記載のエレベータドアをエレベータドアハンガーに接続するための高さ調整アセンブリ。
【請求項５】
前記締結具は、前記ドアハンガーのねじ孔に螺合されるボルトである、請求項２に記載のエレベータドアをエレベータドアハンガーに接続するための高さ調整アセンブリ。
【請求項６】
高さ調整アセンブリを有するエレベータドアおよびハンガーであって、
エレベータドアと、
該エレベータドアを支持するとともに、該エレベータドアの水平方向の摺動移動を可能にする、ドアハンガーと、
前記エレベータドアを前記ドアハンガーに接続する高さ調整アセンブリと
を備え、前記高さ調整アセンブリは、
ａ．平坦部分およびエレベータドアの頂部に取り付けられる領域を有するブラケットと、
ｂ．前記平坦部分にある複数のドアクリップ受け部であって、それぞれが、互いに平行な向きの上部スロットおよび下部スロット、ならびに前記上部スロットと前記下部スロットとの間の穴を備える、複数のドアクリップ受け部と、
ｃ．該ドアクリップ受け部それぞれに個別に配置される複数のドアクリップであって、それぞれが、前記ドアクリップ受け部の前記上部スロットと摺動可能に係合する上部フィン、および前記ドアクリップ受け部の前記下部スロットと摺動可能に係合する下部フィン、ならびに該フィンの間に、フィンに対して斜めの向きで配置されるスロットを有する本体を備える、複数のドアクリップと、
ｄ．前記スロットおよび前記穴を通り、かつ前記ドアクリップおよび前記ブラケットを前記ドアハンガーに摩擦締結する締結具と
を備え、前記ドアの高さは、前記ドアクリップ受け部の前記上部スロットおよび前記下部スロット内で前記ドアクリップを横移動させることによって、前記斜めスロットを前記締結具に対して移動させることにより、前記ドアハンガーに対して調整することができる、高さ調整アセンブリを有するエレベータドアおよびハンガー。
【請求項７】
前記締結具はナットおよびボルトである、請求項６に記載の高さ調整アセンブリ。
【請求項８】
前記締結具は、前記ドアハンガーのねじ孔に螺合されるボルトである、請求項６に記載の高さ調整アセンブリ。
【請求項９】
前記ドアクリップそれぞれに、叩き面を提供する１つまたは複数の側方叩き領域をさらに備え、
前記ドアクリップは、前記叩き面を叩いて前記斜めスロットを前記締結具に対して移動させることにより、前記上部スロットおよび前記下部スロット内で横移動させられ、それにより前記ドアを上下させることができる、請求項６に記載のエレベータドアおよびハンガー。
【請求項１０】
前記アセンブリは、２つのドアクリップ受け部と２つのドアクリップとを備える、請求項９に記載の高さ調整アセンブリ。
【請求項１１】
エレベータドアの高さを調整する方法であって、
エレベータドアをエレベータドアハンガーに接続するための、請求項１に記載の高さ調整アセンブリを設けるステップと、
前記エレベータドアの頂部に前記高さ調整アセンブリの前記ブラケットを取り付けるステップと、
前記ドアブラケットの前記受け部それぞれの穴が前記ドアハンガーの対応する孔と位置合わせされて、締結具を受け入れる用意ができるまで、前記ブラケットを前記エレベータドアハンガーに当接させて支持するステップと、
前記ドアクリップを前記ドアブラケットの前記受け部それぞれの中に入れるステップと、
締結具を、前記ドアクリップの前記斜めスロット、前記受け部の前記穴、および前記ドアハンガーの前記孔に挿入するステップと、
前記締結具を調整可能な状態に締結するステップと、
前記ドアの高さが調整されるまで、前記ドアクリップを叩くステップと、
前記締結具をロック状態に締結するステップと
を含む、エレベータドアの高さを調整する方法。
【請求項１２】
前記締結具はナットおよびボルトである、請求項１１に記載のエレベータドアの高さを調整する方法。
【請求項１３】
前記締結具は、前記ドアハンガーのねじ孔に螺合されるボルトである、請求項１１に記載のエレベータドアの高さを調整する方法。
【請求項１４】
前記調整可能な状態は、摩擦保持力が、前記ドアを前記ドアハンガーに対してずれることなく（without slipping）保持するのに十分になるまで、前記締結具を締結することにより達成される、請求項１１に記載のエレベータドアの高さを調整する方法。
【請求項１５】
前記ドアクリップは、前記叩き面を叩いて前記斜めスロットを前記ボルトに対して移動させることにより、前記上部スロットおよび前記下部スロット内で横移動させられ、それにより前記ドアを上下させることができる、請求１１に記載のエレベータドアの高さを調整する方法。
【請求項１６】
前記ロック状態は、前記ドアクリップおよび前記ドアが前記ドアハンガーにしっかりと締結されるまで、前記締結具を締結することにより達成される、請求項１１に記載のエレベータドアの高さを調整する方法。
【発明の詳細な説明】
【技術分野】
【０００１】
［発明の分野］
本発明は、包括的にはエレベータシステムの分野に関し、より詳細には、エレベータドアの高さを調整するための装置に関する。
【０００２】
［発明の背景］
エレベータドアは、一般に、エレベータかごの開口に適切に嵌まるように調整することが必要である。従来では、エレベータドアはドアハンガーに吊り下げられる。
【０００３】
ドアがハンガーに吊り下げられると、エレベータドアの高さを微調整することが必要なことが多い。例えば、ドアがを吊り下げた後で、ドアをわずかに上下させて、ドアの底部とキャブ（cab：かご室）の入口の敷居との間に適切な隙間を設けることが望ましい場合がある。従来のドアは、ドアをハンガーに締結するボルトおよびスロット構造を設けることにより、高さの調整を可能にする。ドアの重量は、調整を行い難くし、通常は２人以上の作業者を必要とする。１人の作業者がドアを所望の位置に上下させながら、第２の作業者が締結具を締結しなければならない。したがって、容易に、かつドアを吊り下げる作業者が１人だけで用いることができる、エレベータドアのための高さ調整アセンブリを提供することが望ましい。
【０００４】
［発明の概要］
本発明は、エレベータかごのドア開口にエレベータドアを嵌め込むための高さ調整アセンブリと、ドアをドア開口に嵌め込んでいる間にエレベータの高さを調整する方法とに関する。
【０００５】
本発明の一実施形態では、本アセンブリは、平坦部分とエレベータドアの頂部に取り付けられる領域とを有する、ブラケットを備える。平坦部分はさらに、複数のドアクリップ受け部を備え、各ドアクリップ受け部は、互いに平行な向きの上部スロットおよび下部スロット、ならびに上部スロットと下部スロットとの間の穴を有する。複数のドアクリップが設けられ、各クリップは受け部に配置される。各ドアクリップは、受け部の上部スロットと摺動可能に係合する上部フィン、および受け部の下部スロットと摺動可能に係合する下部フィンを有する。ドアクリップは、フィン間に、フィンに対して斜めに向いたスロットも有する。締結具がスロットおよび穴を通り、ドアクリップおよびブラケットをドアハンガーに摩擦保持する。次に、スロット内でクリップを横移動させて、斜めスロットを締結具に沿って移動させることにより、エレベータドアの高さをドアハンガー装置に対して調整し、それによりドアを垂直方向に上下させることができる。
【０００６】
本発明はまた、エレベータドアと、エレベータドアを支持するとともにドアの水平方向の摺動移動を可能にするハンガーと、エレベータドアをドアハンガーに接続する本発明の高さ調整アセンブリとを備える、高さ調整アセンブリを有するエレベータドアおよびハンガーに関する。
【０００７】
本発明はまた、エレベータドアの高さを調整する方法に関する。本方法は、本発明による高さ調整アセンブリを設けることを含む。アセンブリのドアブラケットを、エレベータドアの頂部に取り付ける。次に、ドアブラケットの受け部それぞれの穴がドアハンガーの対応する孔と揃って、締結具を受け入れる用意ができるまで、ドアブラケットをドアハンガーに当接させて支持する。次に、ドアクリップの斜めスロットを締結具と位置合わせしながら、ドアクリップをドアブラケットの受け部それぞれの中に入れる。次に、ドアクリップの上部および下部フィンを、ドアブラケットの受け部の対応する上部および下部スロットに挿入する。重力により、ドアがドアハンガーの下方位置に下降する。下方位置にある間、締結具は、締結具がずれることなくドアをドアハンガーに対して保持するのに十分な摩擦を提供するような締まり具合の、調整可能な状態に締結される。調整可能な状態では、締結具は、クリップを叩いた時に締結具の周りで斜めスロットが徐々に移動できないほどきつくはない。次に、ドアクリップの側部フィンを軽く打つまたは叩くことにより、上部および下部スロットならびに斜めスロット内でドアクリップを締結具に対して横移動させ、それによりドアを上下させる。所望のドアの高さが得られたら、締結具をロック状態に締結して、ドアをドアハンガーにしっかりとロックする。
【０００８】
［詳細な説明］
図１は、スタイル（stiles：さん）２０、ボルスタ１７、およびヘッダ３０を有するスリング（sling・つり索）における、エレベータかご１３の基本構造を示す。スタイル２０およびヘッダ３０は、ドア開口の周りの枠を形成する。ドアヘッダ３０はドアハンガー４０を支持する。ドア５０はドアハンガー４０から吊り下がる。
【０００９】
図２に示すように、各ドア５０は、本発明の高さ調整アセンブリによって対応するドアハンガー４０に取り付けられる。高さ調整アセンブリは、垂直な平坦部分６０ａと、好ましくはエレベータドア５０の頂部に取り付けるための直角領域６０ｂとを有する、ドアブラケット６０を含む。平坦部分６０ａは、ブラケット６０をハンガー４０に取り付けるため、およびドアの高さを調整するために用いられる複数のドアクリップ７０を受け入れる部分を提供する。ブラケットの２つの隣接端部をこの目的で用いることが好ましい。
【００１０】
図３Ａに示すように、各ドアクリップ受け部は、上部スロット８０および下部スロット８５を備え、これらはそれぞれドアクリップ７０の一部を受け入れるようになっている。穴８７もスロット８０と８５との間に含まれる（図３Ｂを参照）。ドアクリップ７０は、上部フィン部分７１および下部フィン部分７１’を有する本体を含む（図４も参照）。各フィン７１および７１’は、対応する上部および下部スロット８０および８５それぞれと摺動可能に係合するように、クリップの平坦な本体から外向きに形成される。スロット８０および８５は、フィン７１および７１’の幅よりも実質的に広いため、フィンがこれらの穴それぞれの中で容易に横移動することができる。ドアクリップ７０は、上部および下部フィンとは逆の方向に形成されたさらなる側部フィン７３および７３’を含むことが好ましい。側部フィンは、作業者がクリップを叩いてスロット８０および８５内でクリップを横移動させることを可能にする叩き面を提供する。スロット７５がフィン７１と７１’との間に、フィンに対して斜めの向きで配置される。図４に示すように、斜めスロット７５は、クリップの頂点に対して斜めに配された軸７５’に沿ってクリップ７０の中央に形成されることが好ましい。
【００１１】
再び図３Ａを参照すると、ドア５０は、ブラケット６０の領域６０ｂに取り付けられる。次に、ドア５０が取り付けられたブラケット６０を、ドアハンガー４０に当接させて支持することにより、ブラケット６０の穴８７をドアハンガー４０の孔と位置合わせして、締結具を受け入れる用意をする。次に、ドアクリップ７０を受け部内に入れるが、この際、ドアクリップのフィン７１および７１’を上部および下部スロット８０および８５内に位置合わせし、斜めスロット７５をブラケット６０の穴８７およびハンガー４０の孔と位置合わせする。ボルト９０等の締結具が、各クリップの斜めスロット７５、ドアブラケット６０の穴８７、およびドアハンガー４０の孔を通ることにより、クリップおよびドアブラケットをドアハンガーに締結する。ボルトの締結を用いずに、すなわちボルトを「緩めた状態」で、ドアをドアハンガーに単に吊り下げると、ドアは重力によって「下方位置」に下降し、図３Ａに示す斜めスロット７５の上端７７が図５Ａに示すようにボルト９０に載った状態になる。換言すると、ドアの重量がドアを摺動させ、ボルト９０をスロットに沿って斜めに進ませる。それと同時に、上部および下部フィン７１および７１’それぞれが、対応するスロット８０および８５内で右側に横移動する。他方、図５Ｂに示すように上部および下部フィンが左側に横移動している間に、ボルトが斜めスロットの下端７９で停止するまでクリップが今度は上方に進むように、ドアを上方に持ち上げることができる。ドアを「上方位置」に保持するために、ボルトを締結することにより、ボルトの軸受面９５（座金等）がドアを所望の位置にロックする。
【００１２】
ドアの高さは、自然な「低い」位置から仕様の範囲内の任意の高さまで、段階的に調整することができる。これは、ボルトを締結して、ドアをドアハンガーに対して保持するのに十分な摩擦を提供することによって達成されるが、ドアは、図３Ａに示すようにほぼ中央位置にあることが好ましい。次に、側部フィン、すなわち叩き面を提供するフィン７３および７３’を、軽く打つまたは叩くことにより、いずれのフィンを叩くかに応じてクリップを左右に進ませる。したがって、叩くごとにドアが垂直方向に、すなわち上下に移動する。ボルトの締まり具合は、摩擦保持力が、ボルトに対してドアがずれることなくドアをドアハンガーに対して保持するのに十分であるが、叩くごとに斜めスロットに沿って徐々に移動するのを妨げるほどきつくはない、「調整可能な状態」にあるようなものである。適切な調整の後、ボルトを「ロック状態」になるように締結して、ドアを所定位置にしっかりと保持する。
【００１３】
本発明を特定の実施形態を参照して特に図示および説明したが、本発明の精神および範囲から逸脱せずに種々の形態および詳細の変更を行うことができることは、当業者には理解されよう。
【図面の簡単な説明】
【００１４】
【図１】エレベータドアをエレベータドアハンガーに接続するための高さ調整アセンブリを示す、本発明の一実施形態の図である。
【図２】本発明による、ドアハンガーと、ドアクリップのセットと、クリップを受け入れるようになっているドアブラケットとを示す図である。
【図３Ａ】本発明による、ドアクリップおよびドアブラケットをドアハンガーに保持する締結具を示す図である。
【図３Ｂ】本発明による、上部および下部スロットと、これらスロット間の中央に配置された穴とを有する、ドアブラケットを示す図である。
【図４】本発明によるドアクリップを示す図である。
【図５Ａ】本発明による、ドアクリップの側部フィンの１つを対応する方向に叩いた時の、図３のドアの上方への変位を示す図である。
【図５Ｂ】本発明による、ドアクリップの側部フィンの１つを対応する方向に叩いた時の、図３のドアの下方への変位を示す図である。
【図１】
2006515258.tif 000003
【図２】
2006515258.tif 000004
2006515258.tif 000005
2006515258.tif 000006
【図４】
2006515258.tif 000007
2006515258.tif 000008
【国際調査報告】
2006515258.tif 000009
2006515258.tif 000010